(57)【要約】【課題】ステアリングを把持した状態における操作性を向上させることができる操作装置を提供する。【解決手段】操作装置１は、ステアリング８５のスポーク部に配置され、操作面３０ａになされた操作を受け付ける操作部２と、ステアリング８５を把持して操作面３０ａを操作する際の操作指となる親指９０の可動範囲７に応じた処理を、表示装置５に表示された操作対象に割り付ける制御部６と、を備えて概略構成されている。操作装置１は、ステアリングを把持した状態における操作性を向上させることができる。【選択図】図４
2020160788.tif 000002
【特許請求の範囲】
【請求項１】
ステアリングのスポーク部に配置され、操作面になされた操作を受け付ける操作部と、
前記ステアリングを把持して前記操作面を操作する際の操作指の可動範囲に適した操作方法によって表示装置に表示された操作対象に割り付けた処理を実行させる制御部と、
を備えた操作装置。
【請求項２】
前記操作指は、親指である、
請求項１に記載の操作装置。
【請求項３】
前記制御部は、前記親指の前記可動範囲に適した前記操作面の上下方向の操作によって前記表示装置の上下に並ぶ前記操作対象のスクロールを行う、
請求項２に記載の操作装置。
【請求項４】
前記制御部は、前記親指の可動範囲に適した前記親指を前記操作面に接触させて指を引く操作によって第１の処理を前記操作対象に行い、前記操作面に接触させて指を伸ばす操作によって前記第１の処理と異なる第２の処理を前記操作対象に行う、
請求項２又は３に記載の操作装置。
【請求項５】
前記制御部は、前記第１の処理として前記操作対象の登録を行い、前記第２の処理として前記操作対象の削除を行う、
請求項４に記載の操作装置。
【請求項６】
前記制御部は、前記親指の前記可動範囲に適した操作方向に沿って前記表示装置に表示された前記操作対象の主機能の選択方向を配置した、
請求項５に記載の操作装置。
【請求項７】
前記制御部は、前記親指の前記可動範囲に適さない操作方向に前記表示装置に表示された前記操作対象の副機能の選択方向を配置した、
請求項５又は６に記載の操作装置。
【発明の詳細な説明】
【技術分野】
【０００１】
本発明は、操作装置に関する。
【背景技術】
【０００２】
従来の技術として、車両に設けられ、運転手の操作による入力内容を該車両内に設けられた表示部に表示する入力装置が知られている（例えば、特許文献１参照。）。
【０００３】
この入力装置は、車両のステアリングホイールに設けられたタッチパッドを備えている。
【先行技術文献】
【特許文献】
【０００４】
【特許文献１】特開２０１８−１２７０１３号公報
【発明の概要】
【発明が解決しようとする課題】
【０００５】
ユーザがステアリングを把持した状態でタッチパッドに操作を行うと、親指の付け根付近がステアリングに接触して動きが阻害されることもあり、親指のＣＭ関節より先端に近いＭＰ関節付近を中心とした扇状の狭い範囲に可動範囲が限定される。そのため、タッチパッドを介した操作対象の選択などの操作が可動範囲を考慮されたものでない場合、ステアリングを把持した状態では操作し難い可能性がある。
【０００６】
従って本発明の目的は、ステアリングを把持した状態における操作性を向上させることができる操作装置を提供することにある。
【課題を解決するための手段】
【０００７】
本発明の一態様は、ステアリングのスポーク部に配置され、操作面になされた操作を受け付ける操作部と、ステアリングを把持して操作面を操作する際の操作指となる親指の可動範囲に適した操作方法によって表示装置に表示された操作対象に割り付けた処理を実行させる制御部と、を備えた操作装置を提供する。
【発明の効果】
【０００８】
本発明によれば、ステアリングを把持した状態における操作性を向上させることができる。
【図面の簡単な説明】
【０００９】
【図１】図１（ａ）は、実施の形態に係る車両内部の一例を示す概略図であり、図１（ｂ）は、操作装置のブロック図の一例である。
【図２】図２（ａ）は、実施の形態に係る表示装置の表示画面の一例を示す概略図であり、図２（ｂ）は、ステアリングの一例を示す概略図である。
【図３】図３（ａ）は、実施の形態に係る左側のタッチパッドユニットの一例を示す概略図であり、図３（ｂ）は、右側のタッチパッドユニットの一例を示す概略図である。
【図４】図４（ａ）〜図４（ｅ）は、実施の形態に係る操作装置の項目の削除処理の一例について説明するための概略図である。
【図５】図５（ａ）〜図５（ｅ）は、実施の形態に係る操作装置の項目の登録処理の一例について説明するための概略図である。
【図６】図６（ａ）〜図６（ｃ）は、実施の形態に係る操作装置のメールの送信処理の一例を示す概略図である。
【発明を実施するための形態】
【００１０】
（実施の形態の要約）
実施の形態に係る操作装置は、ステアリングのスポーク部に配置され、操作面になされた操作を受け付ける操作部と、ステアリングを把持して操作面を操作する際の操作指となる親指の可動範囲に適した操作方法によって表示装置に表示された操作対象に割り付けた処理を実行させる制御部と、を備えて概略構成されている。
【００１１】
この操作装置は、ステアリングを把持した状態の親指の可動範囲に適した操作方法に基づいて操作対象に対する処理を行うので、この構成を採用しない場合と比べて、ステアリングを把持した状態における操作性を向上させることができる。
【００１２】
[実施の形態]
（操作装置１の概要）
以下に記載する実施の形態に係る各図において、図形間の比率は、実際の比率とは異なる場合がある。また図１（ｂ）では、主な信号や情報の流れを矢印で示している。
【００１３】
操作装置１は、図１（ａ）及び図１（ｂ）に示すように、ステアリング８５のスポーク部に配置され、操作面３０ａになされた操作を受け付ける操作部２と、ステアリング８５を把持して操作面３０ａを操作する際の操作指となる親指９０の後述する可動範囲７に適した操作方法によって表示装置５に表示された操作対象に割り付けた処理を実行させる制御部６と、を備えて概略構成されている。この操作対象とは、例えば、表示装置に表示された文字画像を含む画像である。
【００１４】
この操作装置１は、例えば、車両８の車載装置を操作対象装置８９として操作することができるように構成されている。この車載装置とは、一例として、音楽及び映像再生装置、ナビゲーション装置、電動シート装置、クルーズコントロール装置、レーンキープ装置、自動運転装置、車両８に関する各種設定を行うことができる車両制御装置などである。
【００１５】
車両８は、一例として、図１（ａ）に示すように、メータパネル８３に配置されたメータディスプレイ８４、センターコンソール８１ｂに配置されたメインディスプレイ８６、インストルメントパネル８１ｃに配置され、フロントガラス８８の投影領域に表示対象を投影するヘッドアップディスプレイ８７、及びフロントガラス８８に配置されたルームミラーモニタ８８０などの表示装置を備えている。
【００１６】
操作装置１は、これらのうち、少なくとも１つの表示装置に階層式のＧＵＩ（＝Graphical User Interface）の表示画面を表示させるように構成されている。本実施の形態の操作装置１は、例えば、図２（ａ）に示すように、表示装置５としてヘッドアップディスプレイ８７の投影領域にＧＵＩの表示画面を表示させるように構成されている。以下では、投影領域は、表示画面８７０と記載する。このＧＵＩの表示画面８７０には、操作装置１によって制御可能な機能や設定値が画像として表示される。従って操作装置１は、後述する操作部２と表示装置５とが離れた遠隔操作システムである。
【００１７】
表示装置５の表示画面８７０は、図２（ａ）に示すように、メニュー表示領域８７４及びメニュー表示領域８７６と、ダイレクト表示領域８７５及びダイレクト表示領域８７７と、を備えている。
【００１８】
（操作部２の構成）
操作部２は、図１（ｂ）に示すように、タッチパッドユニット２ａ及びタッチパッドユニット２ｂを備えている。
【００１９】
このタッチパッドユニット２ａ及びタッチパッドユニット２ｂは、例えば、図２（ｂ）に示すように、ステアリング８５の左右のスポーク部（スポーク部８５１及びスポーク部８５２）に配置されている。このスポーク部８５１及びスポーク部８５２は、警報機やエアバッグなどが配置された基部８５０と、ユーザが把持するリング部８５３と、を連結するものである。またスポーク部８５１及びスポーク部８５２は、例えば、図２（ｂ）に示すように、車両８が直進する状態のステアリング位置において略水平に伸びて基部８５０とリング部８５３とを連結している。
【００２０】
タッチパッドユニット２ａ及びタッチパッドユニット２ｂは、ユーザがリング部８５３とスポーク部８５１及びスポーク部８５２との連結部分周辺を左手９ａ及び右手９ｂで把持した状態で操作可能となっている。なお操作装置１は、タッチパッドユニット２ａ及びタッチパッドユニット２ｂのいずれか一方を備える構成であっても良い。
【００２１】
タッチパッドユニット２ａ及びタッチパッドユニット２ｂは、それぞれがタッチパッド３及びスイッチ４を備えて概略構成されている。
【００２２】
（タッチパッド３の構成）
タッチパッドユニット２ａのタッチパッド３は、図３（ａ）及び図３（ｂ）に示すように、矩形の操作面３０ａを有する。タッチパッドユニット２ｂのタッチパッド３は、一例として、図３（ｂ）に示すように、タッチパッドユニット２ａのタッチパッド３と同形状とされている。なおタッチパッド３の形状は、これに限定されない。以下では、主にタッチパッドユニット２ａについて説明する。
【００２３】
タッチパッド３は、操作面３０ａに対するタッチ入力、なぞり操作及びフリック操作などを検出するように構成されている。タッチパッド３は、例えば、抵抗膜方式や静電容量方式などのタッチパッドを用いることが可能である。本実施の形態のタッチパッド３は、一例として、静電容量方式のタッチパッドを用いている。左右のタッチパッド３は、検出した結果を示す検出情報Ｓ１及び検出情報Ｓ３を制御部６に出力する。
【００２４】
ユーザは、例えば、タッチパッド３に対してプッシュ操作を行うことによって選択の決定（選択決定）を行うことができる。
【００２５】
タッチパッド３の操作面３０ａは、例えば、図３（ａ）及び図３（ｂ）の紙面において点線によってメニュー入力領域３０１とダイレクト入力領域３０２とに分かれている。なお図３（ａ）及び図３（ｂ）に示す点線は、説明のために付された線であって実際に付された線ではない。このメニュー入力領域３０１とダイレクト入力領域３０２を分かつ線は、印刷などで操作面３０ａに形成されても良い。またダイレクト入力領域３０２のマークは、操作可能な機能を模して示したものであり、印刷によって操作面３０ａに設けられている。
【００２６】
ここで右側のタッチパッド３は、図３（ａ）及び図３（ｂ）に示すように、左側のタッチパッド３とメニュー入力領域３０１とダイレクト入力領域３０２とが入れ替わった配置となっている。つまりステアリング８５のリング部８５３側には、ダイレクト入力領域３０２が設定され、基部８５０側には、メニュー入力領域３０１が設定されている。これはステアリング８５を把持した状態でタッチ入力し易い位置にダイレクト入力領域３０２を配置し、操作指を伸ばしてなぞり操作し易い位置にメニュー入力領域３０１を配置したためである。
【００２７】
タッチパッドユニット２ａのタッチパッド３のメニュー入力領域３０１は、図２（ａ）及び図３（ａ）に示すように、表示画面８７０のメニュー表示領域８７４に表示されたリスト８７８ａを上下にスクロールさせることができる領域である。またタッチパッドユニット２ｂのタッチパッド３のメニュー入力領域３０１は、図２（ａ）及び図３（ｂ）に示すように、表示画面８７０のメニュー表示領域８７６に表示されたリスト８７６ａを上下にスクロールさせることができる領域である。
【００２８】
タッチパッドユニット２ａのタッチパッド３のダイレクト入力領域３０２は、図２（ａ）及び図３（ａ）に示すように、第１のタッチ領域３０２ａ〜第３のタッチ領域３０２ｃが表示画面８７０のダイレクト表示領域８７５に表示されたアイコン８７５ａ〜アイコン８７５ｃに対応している。ユーザは、タッチパッドユニット２ａ側のダイレクト入力領域３０２のタッチ領域にタッチ入力を行うことでアイコン８７５ａ〜アイコン８７５ｃの中から所望のアイコンを選択することができる。
【００２９】
アイコン８７５ａは、左側のタッチパッド３を介して指示した処理がなされた場合、処理がなされる前の状態に戻ることができる機能が割り付けられている。アイコン８７５ｂは、音量を上げる機能が割り付けられている。アイコン８７５ｃは、音量を下げる機能が割り付けられている。
【００３０】
タッチパッドユニット２ｂのタッチパッド３のダイレクト入力領域３０２は、図２（ａ）及び図３（ｂ）に示すように、第１のタッチ領域３０２ｄ〜第３のタッチ領域３０２ｆが表示画面８７０のダイレクト表示領域８７７に表示されたアイコン８７７ａ〜アイコン８７７ｃに対応している。ユーザは、タッチパッドユニット２ｂのタッチパッド３のダイレクト入力領域３０２の第１のタッチ領域３０２ｄ〜第３のタッチ領域３０２ｆのいずれかにタッチ入力を行うことでアイコン８７７ａ〜アイコン８７７ｃの中から所望のアイコンを選択することができる。
【００３１】
アイコン８７７ａは、右側のタッチパッド３を介して指示した処理がなされた場合、処理がなされる前の状態に戻ることができる機能が割り付けられている。アイコン８７７ｂは、運転補助機能であるオートクルーズコントロール機能が割り付けられている。アイコン８７７ｃは、運転補助機能であるレーンキープアシスト機能が割り付けられている。
【００３２】
制御部６は、タッチパッド３のダイレクト入力領域３０２に対してタッチ入力に適した絶対座標系を設定する。また制御部６は、表示装置５の表示に応じてメニュー入力領域３０１に対して相対座標系又は絶対座標系を設定する。制御部６は、画面遷移に応じて、なぞり操作が適した表示である場合、相対座標系をメニュー入力領域３０１に設定し、タッチ入力が適した表示である場合、絶対座標系をメニュー入力領域３０１に設定する。
【００３３】
（スイッチ４の構成）
スイッチ４は、図３（ａ）及び図３（ｂ）に示すように、操作面３０ａの中央付近に配置されている。このスイッチ４は、タッチパッド３の押し下げ、つまり操作面３０ａになされたプッシュ操作を検出するマイクロスイッチである。
【００３４】
スイッチ４は、マイクロスイッチのような機械式スイッチに限定されず、磁気センサなどを用いた非接触スイッチやプッシュ操作に伴う荷重を検出することでプッシュ操作を検出する荷重センサなどであっても良い。
【００３５】
タッチパッドユニット２ａのスイッチ４は、スイッチ信号Ｓ２を制御部６に出力する。またタッチパッドユニット２ｂのスイッチ４は、スイッチ信号Ｓ４を制御部６に出力する。
【００３６】
（表示装置５の構成）
表示装置５は、有機ＥＬ（＝Electro-Luminescence）ディスプレイ、液晶ディスプレイやヘッドアップディスプレイなどである。本実施の形態の表示装置５は、上述のように、ヘッドアップディスプレイ８７である。
【００３７】
ヘッドアップディスプレイ８７の表示画面８７０は、図２（ａ）に示すように、左表示領域８７１、右表示領域８７２及び中央表示領域８７３を有している。
【００３８】
左表示領域８７１は、ステアリング８５の左側に配置されたタッチパッド３に対応した表示領域である。この左表示領域８７１は、メニュー表示領域８７４と、ダイレクト表示領域８７５と、を備えている。
【００３９】
メニュー表示領域８７４は、タッチパッドユニット２ａのメニュー入力領域３０１になされた操作に基づいてメニュー、アイコン及びカーソルなどを表示する領域である。
【００４０】
ダイレクト表示領域８７５は、タッチパッドユニット２ａのダイレクト入力領域３０２の第１のタッチ領域３０２ａ〜第３のタッチ領域３０２ｃに対応する表示を行う領域である。
【００４１】
右表示領域８７２は、ステアリング８５の右側に配置されたタッチパッド３に対応した表示領域である。この右表示領域８７２は、メニュー表示領域８７６と、ダイレクト表示領域８７７と、を備えている。
【００４２】
メニュー表示領域８７６は、タッチパッドユニット２ｂのメニュー入力領域３０１になされた操作に基づいてメニュー、アイコン及びカーソルなどを表示する領域である。
【００４３】
ダイレクト表示領域８７７は、タッチパッドユニット２ｂのダイレクト入力領域３０２の第１のタッチ領域３０２ｄ〜第３のタッチ領域３０２ｆに対応する表示を行う領域である。
【００４４】
ユーザは、左右のタッチパッド３のメニュー入力領域３０１に操作を行うことにより、メニュー表示領域８７４及びメニュー表示領域８７６に表示されたアイコンの選択及び決定、メニューのスクロール、カーソルの操作などを行うことができる。
【００４５】
またユーザは、左右のタッチパッド３のダイレクト入力領域３０２に操作を行うことにより、ダイレクト表示領域８７５及びダイレクト表示領域８７７に表示されたアイコンを選択、決定することができる。
【００４６】
中央表示領域８７３は、操作部２によって選択、決定された機能に関する画像８７３ａが表示される。
【００４７】
（制御部６の構成）
制御部６は、例えば、記憶されたプログラムに従って、取得したデータに演算、加工などを行うＣＰＵ（＝Central Processing Unit）、半導体メモリであるＲＡＭ（＝Random Access Memory）６１及びＲＯＭ（＝Read Only Memory）などから構成されるマイクロコンピュータである。このＲＯＭには、例えば、制御部６が動作するためのプログラムが格納されている。ＲＡＭ６１は、例えば、一時的に演算結果などを格納する記憶領域として用いられる。またＲＡＭ６１は、操作対象装置８９から取得した、表示装置５に表示させる画像の情報である画像情報８９０を記憶する。
【００４８】
制御部６は、取得した画像情報８９０に基づいて表示制御情報Ｓ５を生成して表示装置５を制御する。表示装置５は、表示制御情報Ｓ５に基づいて画像を表示させる。本実施の形態の表示装置５は、ヘッドアップディスプレイ８７であるので、表示制御情報Ｓ５に基づいて表示画面８７０に画像を表示する。
【００４９】
また制御部６は、タッチパッド３になされた操作、及びスイッチ４になされた操作に基づいて操作情報Ｓ６を生成し、操作対象装置８９に出力する。
【００５０】
制御部６は、親指９０の可動範囲７に適した操作面３０ａの上下方向の操作によって表示装置５の上下に並ぶ操作対象のスクロールを行う。つまり可動範囲７に適した操作方法は、上下方向の操作である。
【００５１】
この可動範囲７は、図３（ａ）に斜線で示す範囲である。ここでは、左側のタッチパッド３にのみの可動範囲７を示している。親指９０は、図２（ｂ）に円で囲むＭＰ関節の周辺の回転中心領域７０を中心に回転する。そのため、親指９０を操作面３０ａの上下に移動させた場合、一例として、図３（ａ）に示すように、扇形の帯状の回転領域７１が得られる。この回転領域７１は、親指９０の腹部分が操作面３０ａに接触するので帯状となっている。ユーザは、この回転領域７１に対して容易に操作が可能である。つまりユーザは、操作面３０ａに対して上下方向の操作が容易である。なお回転領域７１の形状は、ユーザの手の大きさなどに依存する。
【００５２】
この上下方向の操作に適した処理は、例えば、操作対象であるリストのスクロールである。そこでメニュー入力領域３０１に対応するメニュー表示領域８７４及びメニュー表示領域８７６には、親指９０の可動範囲７を考慮したリスト８７４ａ及びリスト８７６ａが表示されている。
【００５３】
制御部６０は、親指９０の可動範囲７に適した操作方向に沿って表示装置５に表示された操作対象の主機能の選択方向を配置する。
【００５４】
また制御部６０は、親指９０の可動範囲７に適さない操作方向に表示装置５に表示された操作対象の副機能の選択方向を配置する。
【００５５】
制御部６は、親指９０の可動範囲７に適した親指９０を操作面３０ａに接触させて指を引く操作によって第１の処理を操作対象に行い、操作面３０ａに接触させて指を伸ばす操作によって第１の処理と異なる第２の処理を操作対象に行う。
【００５６】
一例として、制御部６は、第１の処理として操作対象の登録を行い、第２の処理として操作対象の削除を行う。親指９０を引く操作は、指を伸ばす操作と比べてやり易い。そこで、親指９０を引く操作には、誤って操作したとしても影響が小さい登録処理が割り当てられている。
【００５７】
親指９０は、ステアリング８５を把持した状態からは実質的にＤＩＰ関節とＰＩＰ関節からしか曲がらないので、その可動域は他の指に比べて限定的である。従って親指９０を伸ばす操作は、ステアリング８５に阻害されて引く操作よりもやり難い。図３（ａ）に示す直線領域７２は、一例として、親指９０を直線的に伸ばしたり引いたりできる領域を示している。
【００５８】
そこで、親指９０を伸ばす操作には、誤って操作すると影響が大きい削除処理が割り当てられる。以下では、親指９０の可動範囲７を考慮した操作の割り付けや動作について具体的に説明する。
【００５９】
（動作）
・削除処理について
ここでは、タスクマネージャー画面から「目的地検索」の項目を削除する場合について説明する。このタスクマネージャー画面には、よく使う操作対象としての項目が登録されている。なおこの削除処理は、操作対象の副機能である。
【００６０】
図４（ａ）に示すタスクマネージャー画面に画面遷移したメニュー表示領域８７４には、「Ａ曲を再生」、「目的地検索」及び「風量調整」の項目を有するリスト８７４ｂが表示されている。ユーザは、図４（ｂ）に示すように、親指９０によって操作面３０ａを上下になぞり、所望の項目を選択状態とする。リスト８７４ｂの項目は、メニュー表示領域８７４の中央に表示されることで選択状態となる。
【００６１】
次にユーザは、所望の項目が選択状態となると、操作面３０ａに長タッチ操作を行う。この長タッチ操作とは、親指９０を所望の時間以上、操作面３０ａに接触させる操作である。
【００６２】
この長タッチ操作が受け付けられて削除が可能となる削除モードとなると、図４（ｃ）に示すように、削除対象の項目の隣にゴミ箱を示すアイコンが表示される。ユーザは、この削除モードが受け付けられた後、図４（ｄ）に示すように、操作がし難い伸ばす操作を行う。
【００６３】
制御部６は、図４（ｅ）に示すように、この親指９０を伸ばす操作に基づいて「目的地検索」の項目をリスト８７４ｂから削除する。
【００６４】
・登録処理について
ここでは、履歴画面からメニュー画面に項目を登録する場合について説明する。この履歴画面には、過去に操作対象として操作された項目が登録されている。なおこの登録処理は、操作対象の主機能である。
【００６５】
図５（ａ）に示す履歴画面に画面遷移したメニュー表示領域８７４には、「Ａ曲を再生」、「自宅に戻る」及び「風量調整」の項目を有するリスト８７４ｃが表示されている。ユーザは、図５（ｂ）に示すように、親指９０によって操作面３０ａを上下になぞり、所望の項目をリストの中央に配置し選択状態とする。
【００６６】
次にユーザは、所望の項目が選択状態となると、登録が可能となる登録モードに入るため、操作面３０ａに長押し操作か長タッチ操作を行う。この長タッチ操作とは、親指９０を一定時間以上、操作面３０ａに接触させる操作である。長押し操作は、親指９０を一定時間以上、操作面３０ａに押し付ける操作である。登録モードに移行した場合、図５（ｃ）に示すように、登録可能な項目の周囲に枠が表示される。
【００６７】
ユーザは、この長押し操作又は長タッチ操作が受け付けられて登録モードとなると、図５（ｄ）に示すように、操作がし易い親指９０を引く操作を行う。なお変形例として登録モードと削除モードとは、例えば、長押し操作又は長タッチ操作の後、登録削除の両方を受け付けるモードとなり、親指９０を伸ばす操作により削除処理が行われ、親指９０を引く操作により登録処理が行われるようにされても良い。
【００６８】
制御部６は、図５（ｅ）に示すように、この親指９０を引く操作に基づいて「自宅に戻る」の項目をメニュー画面に登録する。
【００６９】
続いて以下では、第２の処理が、メールの送信処理である場合について説明する。
【００７０】
・メールの送信処理について
図６（ａ）に示すメール作成画面に画面遷移したメニュー表示領域８７４には、送信先である「Ａさん」、メールの内容である「もう着きます」、及びスライドバー８７４ｅがリスト８７４ｄとして表示されている。ユーザは、図６（ｂ）に示すように、操作面３０ａを介してスライドバー８７４ｅに対してスワイプ操作を行う。なおこの送信処理は、操作対象の副機能である。
【００７１】
図６（ｃ）に示すように、制御部６は、なされたスワイプ操作に応じてスライドバー８７４ｅのボタン８７４ｆを左から右に移動させ、メールの送信処理を行う。このメールの送信処理は、送信の取り消しができないことから親指９０の操作がし難い伸ばす方向のなぞり操作として誤操作を抑制している。
【００７２】
（実施の形態の効果）
本実施の形態に係る操作装置１は、ステアリング８５を把持した状態における操作性を向上させることができる。具体的には、操作装置１は、親指９０の可動範囲７に適した操作方法によって操作対象が操作されるので、この構成を採用しない場合と比べて、ユーザが自然に操作対象を操作することが可能となってステアリング８５を把持した状態であっても操作性を向上させることができる。
【００７３】
操作装置１は、可動範囲７に適した操作の中ではし難い操作を削除処理に割り当てているので、この構成を採用しない場合と比べて、誤って削除するような誤操作が抑制される。
【００７４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７５】
１…操作装置、２…操作部、２ａ，３…タッチパッド、４…スイッチ、５…表示装置、６…制御部、７…可動範囲、８…車両、９ａ…左手、９ｂ…右手、３０ａ…操作面、７０…回転中心領域、７１…回転領域、７２…直線領域、８１ｂ…センターコンソール、８１ｃ…インストルメントパネル、８３…メータパネル、８４…メータディスプレイ、８５…ステアリング、８６…メインディスプレイ、８７…ヘッドアップディスプレイ、８８…フロントガラス、８９…操作対象装置、９０…親指、３０１…メニュー入力領域、３０２…ダイレクト入力領域、３０２ａ〜３０２ｃ…第１のタッチ領域〜第３のタッチ領域、３０２ｄ〜３０２ｆ…第１のタッチ領域〜第３のタッチ領域、８５０…基部、８５１，８５２…スポーク部、８５３…リング部、８７０…表示画面、８７１…左表示領域、８７２…右表示領域、８７３…中央表示領域、８７３ａ…画像、８７４…メニュー表示領域、８７４ａ〜８７４ｄ…リスト、８７４ｅ…スライドバー、８７４ｆ…ボタン、８７５…ダイレクト表示領域、８７５ａ〜８７５ｃ…アイコン、８７６…メニュー表示領域、８７６ａ…リスト、８７７…ダイレクト表示領域、８７７ａ〜８７７ｃ…アイコン、８７８ａ…リスト、８８０…ルームミラーモニタ、８９０…画像情報
【図１】
2020160788.tif 000003
【図２】
2020160788.tif 000004
【図３】
2020160788.tif 000005
【図４】
2020160788.tif 000006
【図５】
2020160788.tif 000007
【図６】
2020160788.tif 000008